【手続補正書】
【提出日】平成20年4月11日(2008.4.11)
【手続補正１】
【補正対象書類名】明細書
【補正対象項目名】特許請求の範囲
【補正方法】変更
【補正の内容】
【特許請求の範囲】
【請求項１】  動脈の最大血圧、最低血圧を測定する血圧測定方法において、検査対象に取り付られた動脈波形検出センサにより得られた動脈波形を取り込む動脈波形取り込み工程と、前記取り込まれた動脈波形を時間微分して動脈微分波形を得る動脈波形微分演算工程と、その一拍ごとの動脈微分波形においてゼロクロスの各点間の時間Ｔｉと、その一拍における動脈微分波形の一周期の時間Ｔを求めるゼロクロス演算工程と、前記演算により求めたＴｉとＴの値を用いて、一拍ごとの最大血圧、最低血圧を求める関数を演算する血圧演算工程を有することを特徴とする動脈血圧測定方法。
【請求項２】  請求項１に記載の血圧測定方法において、前記ゼロクロス演算工程は、その一拍ごとの動脈微分波形において、動脈波形の最低値に対応するゼロクロス点から最大値に対応するゼロクロス点までの時間Ｔａと、その一拍における動脈微分波形の一周期の時間Ｔから前記Ｔａを差し引いた時間Ｔｂを求めることを特徴とする動脈血圧測定方法。
【請求項３】  動脈の最大血圧、最低血圧を測定する血圧測定方法において、検査対象に取り付けられた動脈波形検出センサにより得られた動脈波形を取り込む動脈波形取り込み工程と、前記取り込まれた一拍ごとの動脈波形について、その最低値から最大値までの時間ＴＡと、その一拍における動脈波形の一周期の時間Ｔから前記ＴＡを差し引いた時間ＴＢを求めるＴＡＴＢ演算工程と、前記演算により求めたＴＡ、ＴＢの値を用いて、一拍ごとの最大血圧、最低血圧を求める関数を演算する血圧演算工程を有することを特徴とする動脈血圧測定方法。
【請求項４】  動脈の最大血圧、最低血圧を測定する血圧測定装置において、検査対象の動脈波形を検出するセンサ手段と、前記センサ手段により得られた動脈波形を取り込む動脈波形取り込み手段と、前記取り込まれた一拍ごとの前記動脈波形を時間微分して動脈微分波形を得る動脈波形微分演算手段と、その一拍ごとの動脈微分波形においてゼロクロスの各点間の時間Ｔｉと、その一拍における動脈微分波形の一周期の時間Ｔを求めるゼロクロス演算手段と、前記演算により求めたＴｉとＴの値を用いて、一拍ごとの最大血圧、最低血圧を求める関数を演算する血圧演算手段を有することを特徴とする動脈血圧測定装置。
【請求項５】  請求項４に記載の血圧測定装置において、請求項１に記載の前記ゼロクロス演算手段は、その一拍ごとの動脈微分波形において、動脈波形の最低値に対応するゼロクロス点から最大値に対応するゼロクロス点までの時間Ｔａと、その一拍における動脈微分波形の一周期の時間Ｔから前記Ｔａを差し引いた時間Ｔｂを求めるゼロクロス演算手段からなることを特徴とする動脈血圧測定装置。
【請求項６】  動脈の最大血圧、最低血圧を測定する血圧測定装置において、検査対象の動脈波形を検出するセンサ手段と、前記センサ手段により得られた動脈波形を取り込む動脈波形取り込み手段と、前記取り込まれた一拍ごとの動脈波形について、その最低値から最大値までの時間ＴＡと、その一拍における動脈波形の一周期の時間Ｔから前記ＴＡを差し引いた時間ＴＢを求め、そのＴＡ、ＴＢの値を用いて、一拍ごとの最大血圧、最低血圧を求める関数を演算する血圧演算手段を有することを特徴とする動脈血圧測定装置。
【手続補正２】
【補正対象書類名】明細書
【補正対象項目名】０００５
【補正方法】変更
【補正の内容】
【０００５】
【課題を解決するための手段】
本発明は、一般に物質の振動の振幅はその周波数特性で記述されることから、血管系の物質の振動においても、最大血圧、最低血圧はその振幅、脈拍数はその振動数であるので、同様の考察が可能であるとの観点に立脚して、動脈血圧の最大血圧、最小血圧が、動脈波形の一周期およびその一周期における最大値、最低値に関係する時間関数で表すことが出来ることを見出したことの知見に基づく。図１は、体の動脈内に圧力センサを（侵襲で）挿入して動脈内圧力を直接測定する観血法によって得られた動脈波形から、動脈波形の一拍ごとの一周期の時間Ｔ、その一拍の動脈波形における最低値の点から最大値の点までの時間Ｔａ、前記ＴからＴａを差し引いた時間Ｔｂ、前記Ｔを一分間の振動数に換算したいわゆる一分間脈拍数ｎを求め、動脈波形の最大値である最大血圧Ｐｈ、最低値である最低血圧Ｐｌとこれらの関係について示したものである。図1（ａ）において最大血圧Ｐｈとｎの積で求められる値とＴａとＴｂの積との間、（ｂ）においてｎの二乗を最低血圧Ｐｌで除した値とＴｂの二乗との間にそれぞれ強い関係が認められる。すなわち、適切な関数を選ぶことで、動脈血圧の最大血圧、最小血圧が、動脈波形の一周期およびその一周期における最大値、最低値に関係する時間関数で表すことが出来る。
【手続補正３】
【補正対象書類名】明細書
【補正対象項目名】０００６
【補正方法】変更
【補正の内容】
【０００６】
そこで、本発明に係る動脈血圧測定方法は、検査対象に取り付けられた動脈波形検出センサにより得られた動脈波形を取り込む動脈波形取り込み工程と、前記取り込まれた動脈波形を時間微分して動脈微分波形を得る動脈波形微分演算工程と、その一拍ごとの動脈微分波形においてゼロクロスの各点間の時間Ｔｉと、その一拍における動脈微分波形の一周期の時間Ｔを求めるゼロクロス演算工程と、前記演算により求めたＴｉとＴの値を用いて、一拍ごとの最大血圧、最低血圧を求める関数を演算する血圧演算工程を有することを特徴とする。
【手続補正４】
【補正対象書類名】明細書
【補正対象項目名】０００７
【補正方法】変更
【補正の内容】
【０００７】
本発明に係る動脈血圧測定方法において、好ましくは、前記ゼロクロス演算工程は、その一拍ごとの動脈微分波形において、動脈波形の最低値に対応するゼロクロス点から最大値に対応するゼロクロス点までの時間Ｔａと、その一拍における動脈微分波形の一周期の時間Ｔから前記Ｔａを差し引いた時間Ｔｂを求める。
【手続補正５】
【補正対象書類名】明細書
【補正対象項目名】０００８
【補正方法】変更
【補正の内容】
【０００８】
本発明に係る動脈血圧測定方法は、検査対象に取り付けられた動脈波形検出センサにより得られた動脈波形を取り込む動脈波形取り込み工程と、前記取り込まれた一拍ごとの動脈波形について、その最低値から最大値までの時間ＴＡと、その一拍における動脈波形の一周期の時間Ｔから前記ＴＡを差し引いた時間ＴＢを求めるＴＡＴＢ演算工程と、前記演算により求めたＴＡ、ＴＢの値を用いて、一拍ごとの最大血圧、最低血圧を求める関数を演算する血圧演算工程を有することを特徴とする。
【手続補正６】
【補正対象書類名】明細書
【補正対象項目名】０００９
【補正方法】変更
【補正の内容】
【０００９】
本発明に係る動脈血圧測定装置は、検査対象の動脈波形を検出するセンサ手段と、前記センサ手段により得られた動脈波形を取り込む動脈波形取り込み手段と、前記取り込まれた一拍ごとの前記動脈波形を時間微分して動脈微分波形を得る動脈波形微分演算手段と、その一拍ごとの動脈微分波形においてゼロクロスの各点間の時間Ｔｉと、その一拍における動脈微分波形の一周期の時間Ｔを求めるゼロクロス演算手段と、前記演算により求めたＴｉとＴの値を用いて、一拍ごとの最大血圧、最低血圧を求める関数を演算する血圧演算手段を有することを特徴とする。
【手続補正７】
【補正対象書類名】明細書
【補正対象項目名】００１０
【補正方法】変更
【補正の内容】
【００１０】
本発明に係る動脈血圧測定装置において、好ましくは、ゼロクロス演算手段は、その一拍ごとの動脈微分波形において、動脈波形の最低値に対応するゼロクロス点から最大値に対応するゼロクロス点までの時間Ｔａと、その一拍における動脈微分波形の一周期の時間Ｔから前記Ｔａを差し引いた時間Ｔｂを求めることを特徴とする。